(57)【要約】【課題】光伝送の場合、長く同じ論理（高レベル／低レベル）の信号が継続すると、受信側の受光素子が飽和状態に陥ってしまい、正しいデータ伝送が行えなくなる。【解決手段】半導体レーザを露光源とする露光装置４０を備えた画像形成装置において、画像形成のためのアナログデータ信号に対して露光装置４０の特性上画像に現れない程度の狭いパルス幅のパルス信号を重畳回路１３で重畳することにより、当該パルス信号の作用によって同じ論理の信号が長く継続しないようにして、受光素子３１が飽和状態に陥るのを回避する。【選択図】図１
2008028505.tif 000002
【特許請求の範囲】
【請求項１】
画像形成のためのアナログデータ信号に、画像に現れない程度の狭いパルス幅のパルス信号を重畳する重畳手段と、
前記重畳手段で前記パルス信号が重畳されたアナログデータ信号を光信号に変換して出力する電気／光学変換手段と、
前記電気／光学変換手段から出力された光信号を伝送する光伝送手段と、
前記光伝送手段によって伝送された光信号を電気信号に変換して出力する光学／電気変換手段と、
前記光学／電気変換手段から出力される電気信号に応じて記録媒体上に画像を形成する半導体レーザを含む露光手段と
を備えることを特徴とする画像形成装置。
【請求項２】
前記光学／電気変換手段から出力される電気信号に含まれる高調波成分を除去して前記露光手段に供給する高調波除去手段をさらに備える
ことを特徴とする請求項１記載の画像形成装置。
【発明の詳細な説明】
【技術分野】
【０００１】
本発明は、画像形成装置に関し、特に半導体レーザを露光源に用いたレーザプリンタ等の画像形成装置に関する。
【背景技術】
【０００２】
レーザプリンタ等の画像形成装置では、近年、カラー化や高解像度化が進み、それに伴って印字制御部から半導体レーザを含む露光源へ伝送すべきデータ量が膨大になってきている。伝送すべきデータ量が多くても短時間にデータを伝送する必要があるため伝送速度が増加する。そのため、データの伝送に、光ファイバなどを光伝送路とする光通信を用いるようになってきている。光通信は、大量のデータを高速伝送できるとともに、ノイズの影響を受けないという利点がある。
【０００３】
光通信システムは、周知のように、データを光信号に変換して送信する送信側と、当該送信側から出力された光信号を伝送する光ファイバなどの光伝送路と、当該光伝送路によって伝送された光信号を受信して電気信号に変換する受信側とを有する構成を基本としている（例えば、特許文献１参照）。
【０００４】
【特許文献１】特開平９−３６８０２号公報
【発明の開示】
【発明が解決しようとする課題】
【０００５】
ところで、半導体レーザを露光源とする露光装置では、例えば、レーザ出力をＯＮ，ＯＦＦの２値で行い、１画素（ドット）に相当するＯＮ時間を制御することによって階調を出すパルス幅変調方式が用いられる。そのため、画像形成装置に用いる光伝送では、画像伝送に好適なアナログ伝送方式、具体的にはアナログ信号を一定高さのパルス信号に変換し、パルス光信号として伝送するパルス化アナログ変調方式が用いられることになる。
【０００６】
アナログ伝送方式を用いた光伝送の場合には、デジタル伝送方式を用いた光伝送の場合と異なり、アナログデータ信号が長く同じ論理（高レベル／低レベル）を継続することがある。このように、長く同じ論理の信号が継続すると、受信側の電気信号レベルが飽和状態に陥ってしまい、正しいデータ伝送が行えなくなるという問題がある。
【０００７】
本発明は、上記課題に鑑みてなされたものであって、その目的とするところは、簡単な構成で、画像に影響を及ぼすことなく、受光素子（光学／電気変換素子）が飽和状態に陥るのを防止できるようにした画像形成装置を提供することにある。
【課題を解決するための手段】
【０００８】
本発明による画像形成装置は、画像形成のためのアナログデータ信号に、画像に現れない程度の狭いパルス幅のパルス信号を重畳する重畳手段と、前記重畳手段で前記パルス信号が重畳されたアナログデータ信号を光信号に変換して出力する電気／光学変換手段と、前記電気／光学変換手段から出力された光信号を伝送する光伝送手段と、前記光伝送手段によって伝送された光信号を電気信号に変換して出力する光学／電気変換手段と、前記光学／電気変換手段から出力される電気信号に応じて記録媒体上に画像を形成する半導体レーザを含む露光手段とを備える構成となっている。
【０００９】
上記構成の画像形成装置において、画像形成のためのアナログデータ信号が長く同じ論理を継続するような場合であっても、当該アナログデータ信号にパルス信号を重畳することで、当該パルス信号の作用によって同じ論理が長く継続することがなくなる。これにより、光学／電気変換手段が飽和状態に陥るのを回避できる。
【００１０】
一方、半導体レーザを露光源とする露光手段は、露光を行ったとしてもその光強度が微弱である場合には現像されないという特性を持っている。また、露光手段によっては、パルス信号のパルス幅がある程度のパルス幅以下になってしまうと追随できない、即ち露光できないという特性もある。したがって、送信側でアナログデータ信号にパルス信号を重畳したとしても、当該パルス信号が露光手段の特性上画像に現れない程度の狭いパルス幅を持つことで、アナログデータ信号に重畳されたパルス信号が画像に影響を及ぼすことがない。
【発明の効果】
【００１１】
本発明によれば、画像形成のためのアナログデータ信号に、画像に現れない程度の狭いパルス幅のパルス信号を重畳するという簡単な構成で、画像に影響を及ぼすことなく、光学／電気変換素子が飽和状態に陥るのを防止できるために、アナログ伝送方式によるデータ伝送を正しく行うことができる。
【発明を実施するための最良の形態】
【００１２】
以下、本発明の実施の形態について図面を参照して詳細に説明する。
【００１３】
図１は、本発明の一実施形態に係る画像形成装置の構成の概略を示すブロック図である。本実施形態では、画像形成装置として、例えば、半導体レーザを露光源に用いたレーザプリンタを例に挙げて説明するものとする。
【００１４】
図１に示すように、本実施形態に係る画像形成装置は、光送信モジュール１０と、光伝送路２０と、光受信モジュール３０と、露光装置４０とを有する構成となっている。
【００１５】
（光送信モジュール）
光送信モジュール１０は、印字制御部１１と、パルス信号発生回路１２と、重畳回路１３と、発光素子１４とから構成されている。
【００１６】
印字制御部１１は、スキャナ等の画像読取装置やパーソナルコンピュータ等の情報源からデータを受信し、加工してビットマップデータを生成し、一定高さのパルスデータ信号に変換して出力する。
【００１７】
パルス信号発生回路１２は、印字制御部１１から出力されるアナログデータ信号に同期して、高調波のパルス信号、具体的には露光装置４０の特性上画像に現れない程度の狭いパルス幅を持つパルス信号を発生する。
【００１８】
具体的には、パルス信号発生回路１２は、図２に示すように、印字制御部１１から出力されるアナログデータ信号（Ａ）の論理（高レベル／低レベル）に関係なく一定レベルＶ１を持つ所定周波数のパルス信号、あるいは、印字制御部１１から出力されるアナログデータ信号（Ａ）のレベルＶ０と同等のレベルＶ２を持ち、当該アナログデータ信号が高レベルのときは負極性、低レベルのときは正極性となる所定周波数のパルス信号（Ｃ）を発生する。
【００１９】
重畳回路１３は、印字制御部１１から出力されるアナログデータ信号（Ａ）に対して、パルス信号発生回路１２で発生される所定周波数のパルス信号（Ｂ）または（Ｃ）を重畳する。
【００２０】
このように、印字制御部１１から出力されるアナログデータ信号（Ａ）に、当該アナログデータ信号（Ａ）の論理に関係なく一定レベルのパルス信号（Ｂ）を重畳することで、重畳回路１３から出力されるアナログデータ信号は図２（Ｄ）に示す波形、即ちアナログデータ信号（Ａ）が高レベルのときは当該高レベルよりも一定レベルだけ高く、アナログデータ信号（Ａ）が低レベルのときは当該低レベルよりも一定レベルだけ高いアナログデータ信号（Ｄ）となる。
【００２１】
あるいは、印字制御部１１から出力されるアナログデータ信号（Ａ）に、当該アナログデータ信号（Ａ）と同等レベルで、当該アナログデータ信号（Ａ）が高レベルのとき負極性、低レベルのとき正極性となるパルス信号（Ｃ）を重畳することで、重畳回路１３から出力されるアナログデータ信号は図２（Ｅ）に示す波形、即ちアナログデータ信号（Ａ）が高レベルのときは当該高レベルに対して負極性のパルスが重畳され、アナログデータ信号（Ａ）が低レベルのときは当該低レベルに対して正極性のパルスが重畳されたアナログデータ信号（Ｅ）となる。
【００２２】
発光素子１４は、半導体レーザ（ＬＤ；Laser Diode）や発光ダイオード（ＬＥＤ；Light Emitting Diode）などの電気／光学変換素子からなり、重畳回路１３から供給されるアナログデータ信号（Ｂ）／（Ｃ）を光信号に変換して出力する。
【００２３】
図３に、半導体レーザの電流−光出力特性を示す。光伝送によるデータの高速伝送を実現するために、半導体レーザに対して常に閾値近傍の電流ＩILを流し、半導体レーザを微弱点灯させて使用することになる。
【００２４】
（光伝送路）
光伝送路２０は、光ファイバ等からなり、光送信モジュール１０の発光素子１４が出力した光信号を光受信モジュール３０へ伝送する。
【００２５】
（光受信モジュール）
光受信モジュール３０は、受光素子３１と、受光回路３２と、ローパスフィルタ（ＬＰＦ）３３とから構成されている。
【００２６】
受光素子３１は、フォトトランジスタやフォトダイオードなどの光学／電気変換素子からなり、光送信モジュール１０から光伝送路２０によって伝送され光信号を電気信号に変換して出力する。
【００２７】
受光回路３２は、受光素子３１から出力される微弱な電気信号を増幅するプリンタアンプやメインアンプ等によって構成され、受光素子３１から出力されるで電気信号をパルス信号に変換して出力する。このパルス信号には、光送信モジュール１０側で重畳された高調波成分が含まれている。
【００２８】
ローパスフィルタ３３は、特許請求の範囲の高調波除去手段に相当し、所定のカットオフ周波数を持つことで、受光回路３２から出力されるパルス信号に含まれている高調波成分を除去して露光装置４０に供給する。
【００２９】
（露光装置）
露光装置４０は、半導体レーザを露光源とし、例えば回転多面鏡を高速で回転させることによって記録媒体（感光体）上を光走査しつつ、光受信モジュール３０から供給されるパルス信号に応じてレーザ出力をＯＮ／ＯＦＦ制御することにより、記録媒体（感光体）上に画像（静電潜像）を形成する。
【００３０】
上記構成のレーザプリンタに代表される画像形成装置において、半導体レーザを露光源とする露光装置４０は、露光を行ったとしてもその光強度が微弱である場合には現像されないという特性を持っている。また、露光装置４０によっては、パルス信号のパルス幅がある程度のパルス幅以下になってしまうと追随できない、即ち露光できないという特性もある。
【００３１】
本発明は、露光装置４０の上記の特性に着目して為されたものである。すなわち、光送信モジュール１０側でアナログデータ信号にパルス信号を重畳したとしても、当該パルス信号が露光装置４０の特性上画像に現れない程度の狭いパルス幅を持つことで、光送信モジュール１０側でアナログデータ信号に重畳されたパルス信号が画像に影響を及ぼすことがない。
【００３２】
上述したように、半導体レーザを露光源とする露光装置４０を備えた画像形成装置において、画像形成のためのアナログデータ信号が長く同じ論理を継続するような場合であっても、当該アナログデータ信号に露光装置４０の特性上画像に現れない程度の狭いパルス幅のパルス信号を重畳することで、当該パルス信号が画像に影響を及ぼすこともなく、しかも重畳したパルス信号の作用によって同じ論理が長く継続することがなくなるために、受光素子３１が飽和状態に陥るのを回避できる。
【００３３】
これにより、画像形成のためのアナログデータ信号にパルス信号を重畳するだけの簡単な構成で、受光素子３１が飽和状態に陥るのを回避しつつ、アナログ伝送方式によるデータ伝送を正しく行うことができる。その結果、レーザプリンタに代表される画像形成装置において、光伝送（光通信）による大量データの高速伝送を実現できるために、カラー化や高解像度化に伴うデータ量の増大にも十分対応できる。また、データ伝送の際におけるノイズの影響を排除できるという効果も享受できる。
【００３４】
なお、上記実施形態では、受光回路３２の後段にローパスフィルタ３３を設け、受光回路３２から出力されるパルス信号に含まれている高調波成分、即ち光送信モジュール１０側でアナログデータ信号に重畳したパルス信号成分を除去するとしたが、これは必須の構成要素ではなく、省略することも可能である。
【００３５】
すなわち、露光装置４０が持つ先述した特性に対して、当該特性上画像に現れない程度の狭いパルス幅のパルス信号を、画像形成のためのアナログデータ信号に重畳することにより、当該パルス信号成分が受光回路３２の出力信号に含まれていたとしても、そのパルス幅に露光装置４０が追従できなく、露光が行われないために形成する画像に影響が及ぶことはない。
【００３６】
ただし、受光回路３２の後段にローパスフィルタ３３を設け、光送信モジュール１０側でアナログデータ信号に重畳されたパルス信号成分を光受信モジュール３０側で積極的に除去するようにした方が、当該パルス信号成分による形成画像への影響を確実に排除できる利点がある。
【図面の簡単な説明】
【００３７】
【図１】本発明の一実施形態に係る画像形成装置の構成の概略を示すブロック図である。
【図２】画像形成のためのアナログデータ信号（Ａ）と、露光装置の特性上画像に現れない程度の狭いパルス幅を持つパルス信号（Ｂ），（Ｃ）と、当該パルス信号（Ｂ），（Ｃ）をアナログデータ信号（Ａ）に重畳することによって得られるアナログデータ信号（Ｄ），（Ｅ）の波形を示す波形図である。
【図３】半導体レーザの電流−光出力特性を示す特性図である。
【符号の説明】
【００３８】
１０…光送信モジュール、１１…印字制御部、１２…パルス信号発生回路、１３…重畳回路、１４…発光素子、２０…光伝送路、３０…光受信モジュール、３１…受光素子、３２…受光回路、３３…ローパスフィルタ（ＬＰＦ）、４０…露光装置
【図１】
2008028505.tif 000003
【図２】
2008028505.tif 000004
【図３】
2008028505.tif 000005